(57)【要約】【課題】いわゆる球掛りゴトと言われる不正行為を防止することが可能な遊技機を提供すること。【解決手段】遊技領域１１を流下する遊技球が入賞可能な入賞装置１００を備え、入賞装置１００への遊技球の入賞に基づいて遊技者に遊技価値を付与可能な遊技機において、入賞装置１００は、遊技領域１１を流下する遊技球を受け入れる受入口５０と、遊技盤１に揺動自在に配設され、受入口５０を通じて流入した遊技球を遊技盤裏面側へと導く本体部５１と、本体部５１に遊技球が当接して球圧が加わることによって、本体部５１の揺動を許容すると共に、本体部５１に加わる球圧が解除されることによって、本体部５１を揺動前の姿勢に復帰させる姿勢変移機構６５とを備える。【選択図】図１０
2010279476.tif 000002
【特許請求の範囲】
【請求項１】
区画部材により遊技領域が区画形成される遊技盤と、前記遊技領域を流下する遊技球が入賞可能な入賞装置とを備え、当該入賞装置への遊技球の入賞に基づいて遊技者に遊技価値を付与可能な遊技機において、
前記入賞装置は、
前記遊技領域を流下する遊技球を受け入れる受入口と、
前記遊技盤に揺動自在に配設され、前記受入口を通じて流入した遊技球を前記遊技盤裏面側へと導く本体部と、
前記本体部に遊技球が当接して球圧が加わることによって、当該本体部の揺動を許容すると共に、前記本体部に加わる球圧が解除されることによって、当該本体部を揺動前の姿勢に復帰させる姿勢変移機構と、
を備えることを特徴とする遊技機。
【請求項２】
前記遊技盤の前記受入口に対応する位置には、遊技球が通過可能な間隔を空けて設けられた一対の障害釘が配設され、
前記本体部に加わる球圧が解除された状態では、前記一対の障害釘の間と前記受入口とが連通状態となって、前記一対の障害釘の間を通過した遊技球が前記受入口を通じて前記入賞装置に入賞可能である一方、
前記本体部に球圧が加わった状態では、前記本体部が揺動して変移することによって前記一対の障害釘の間と前記受入口との連通状態が解除されることを特徴とする請求項１に記載の遊技機。
【請求項３】
前記遊技盤には、前記受入口を通じて前記本体部に流入した遊技球を前記遊技盤裏面側の入賞球処理領域へと誘導する入賞球誘導流路が形成され、
前記本体部に加わる球圧が解除された状態では、前記本体部と前記入賞球誘導流路とが連通状態となって、前記受入口を通じて前記本体部に流入した遊技球は前記入賞球誘導流路へと導かれる一方、
前記本体部に球圧が加わった状態では、前記本体部が揺動して変移することによって前記本体部と前記入賞球誘導流路との連通状態が解除されることを特徴とする請求項２に記載の遊技機。
【請求項４】
前記姿勢変移機構は、
前記本体部と一体に配設され、当該本体部を前記遊技盤に揺動自在に支持する回転軸と、
前記回転軸に連結された錘と、を備え、
前記錘の重心が前記回転軸の鉛直下方に位置する場合には、前記一対の障害釘の間と前記受入口とが連通状態となることを特徴とする請求項３に記載の遊技機。
【請求項５】
前記本体部の揺動に伴い減衰力を発生して当該本体部の揺動動作に抵抗を付与する減衰力発生機構を備えることを特徴とする請求項４に記載の遊技機。
【請求項６】
前記減衰力発生機構は、前記本体部が揺動前の初期状態から揺動する際に発生する減衰力が、前記本体部が前記初期状態の姿勢に復帰する際に発生する減衰力と比較して小さくなるように構成されることを特徴とする請求項５に記載の遊技機。
【請求項７】
前記減衰力発生機構は、
内部に収装されたロータが回転することによって発生する粘性抵抗によって減衰力を発生するロータリーダンパと、
前記本体部の揺動に伴う前記回転軸の回転を前記ロータリーダンパの前記ロータに結合されたロッドに伝達する伝達機構と、
を備えることを特徴とする請求項５又は請求項６に記載の遊技機。
【発明の詳細な説明】
【技術分野】
【０００１】
本発明は、遊技球を用いる遊技機に関するものである。
【背景技術】
【０００２】
従来の遊技機、例えばパチンコ遊技機は、区画部材（周囲を区画するガイドレールや前面を区画するガラス等）によって遊技盤の表面に遊技領域を区画形成し、該遊技領域に釘や風車などの流下方向変換部材を配設することで、遊技領域内に飛入した遊技球の流下方向に変化を与えるようにしている。
【０００３】
また、所定の流下方向変換部材により流下方向が変化された遊技球が到達する領域には、遊技球が入賞することにより遊技価値（賞球）を付与するための通常入賞口を備えた入賞装置や、所定の遊技条件の成立により閉状態から開状態に変換する大入賞口を備えた変動入賞装置等を配設したものが提案されている（例えば、特許文献１）。
【先行技術文献】
【特許文献】
【０００４】
【特許文献１】特開２０００−３１２７３９号公報
【発明の開示】
【発明が解決しようとする課題】
【０００５】
ところで、特許文献１に記載されたような従来の遊技機においては、入賞口への遊技球の入賞により遊技者に遊技価値（賞球）が付与されるため、磁石やピアノ線といった不正部材により区画部材と入賞装置との間や、流下方向変換部材と入賞装置との間で遊技球の流下を停止（停滞）させ、複数の遊技球をぶどう状に積み重ねて入賞口の周囲を遊技球で覆ってしまうことで、遊技球の入賞頻度を増大させる不正行為（いわゆる球掛りゴト）を行う者が後を断たないという問題があった。
【０００６】
本発明は、上記の問題点に鑑みてなされたものであり、いわゆる球掛りゴトと言われる不正行為を防止することが可能な遊技機を提供することを目的とする。
【課題を解決するための手段】
【０００７】
第１の発明は、区画部材により遊技領域が区画形成される遊技盤と、前記遊技領域を流下する遊技球が入賞可能な入賞装置とを備え、当該入賞装置への遊技球の入賞に基づいて遊技者に遊技価値を付与可能な遊技機において、前記入賞装置は、前記遊技領域を流下する遊技球を受け入れる受入口と、前記遊技盤に揺動自在に配設され、前記受入口を通じて流入した遊技球を前記遊技盤裏面側へと導く本体部と、前記本体部に遊技球が当接して球圧が加わることによって、当該本体部の揺動を許容すると共に、前記本体部に加わる球圧が解除されることによって、当該本体部を揺動前の姿勢に復帰させる姿勢変移機構と、を備えることを特徴とする。
【０００８】
第２の発明は、前記遊技盤の前記受入口に対応する位置には、遊技球が通過可能な間隔を空けて設けられた一対の障害釘が配設され、前記本体部に加わる球圧が解除された状態では、前記一対の障害釘の間と前記受入口とが連通状態となって、前記一対の障害釘の間を通過した遊技球は前記受入口を通じて前記入賞装置に入賞可能である一方、前記本体部に球圧が加わった状態では、前記本体部が揺動して変移することによって前記一対の障害釘の間と前記受入口との連通状態が解除されることを特徴とする。
【０００９】
第３の発明は、前記遊技盤には、前記受入口を通じて前記本体部に流入した遊技球を前記遊技盤裏面側の入賞球処理領域へと誘導する入賞球誘導流路が形成され、前記本体部に加わる球圧が解除された状態では、前記本体部と前記入賞球誘導流路とが連通状態となって、前記受入口を通じて前記本体部に流入した遊技球は前記入賞球誘導流路へと導かれる一方、前記本体部に球圧が加わった状態では、前記本体部が揺動して変移することによって前記本体部と前記入賞球誘導流路との連通状態が解除されることを特徴とする。
【００１０】
第４の発明は、前記姿勢変移機構は、前記本体部と一体に配設され、当該本体部を前記遊技盤に揺動自在に支持する回転軸と、前記回転軸に連結された錘と、を備え、前記錘の重心が前記回転軸の鉛直下方に位置する場合には、前記一対の障害釘の間と前記受入口とが連通状態となることを特徴とする。
【００１１】
第５の発明は、前記本体部の揺動に伴い減衰力を発生して当該本体部の揺動動作に抵抗を付与する減衰力発生機構を備えることを特徴とする。
【００１２】
第６の発明は、前記減衰力発生機構は、前記本体部が揺動前の初期状態から揺動する際に発生する減衰力が、前記本体部が前記初期状態の姿勢に復帰する際に発生する減衰力と比較して小さくなるように構成されることを特徴とする。
【００１３】
第７の発明は、前記減衰力発生機構は、内部に収装されたロータが回転することによって発生する粘性抵抗によって減衰力を発生するロータリーダンパと、前記本体部の揺動に伴う前記回転軸の回転を前記ロータリーダンパの前記ロータに結合されたロッドに伝達する伝達機構と、を備えることを特徴とする。
【発明の効果】
【００１４】
第１の発明によれば、本体部に遊技球が当接して球圧が加わった場合には、本体部は揺動するため、本体部の周囲での球掛りが発生し難くなり、不正行為を防止することが可能となる。また、本体部に加わる球圧が解除された場合には、本体部は揺動前の姿勢に復帰するため、遊技球の入賞に問題はない。
【００１５】
第２の発明によれば、本体部に球圧が加わった状態では、一対の障害釘の間と受入口との連通が解除されるため、本体部への遊技球の流入が制限され、入賞装置への遊技球の入賞が防止される。
【００１６】
第３の発明によれば、本体部に球圧が加わった状態では、本体部と入賞球誘導流路との連通が解除されるため、入賞球誘導流路への遊技球の流入が制限され、入賞装置への遊技球の入賞が防止される。
【００１７】
第４の発明によれば、回転軸に連結された錘を備え、錘の重心が重力によって回転軸の鉛直下方に位置する場合には一対の障害釘の間と受入口とは連通状態となるように構成されるため、本体部が球圧を受け錘の重力に反して揺動することによって、一対の障害釘の間と受入口との連通が解除され、本体部への球圧が解除され錘の重力にて揺動前の姿勢に復帰することによって、一対の障害釘の間と受入口とは再び連通状態となる。
【００１８】
第５及び第７の発明によれば、不正行為によって積み重ねられた遊技球が崩され本体部への球圧が解除されたとしても、本体部は減衰力発生機構の作用によって揺動前の姿勢にゆっくりと復帰するため、不正行為が発見し易くなる。
【００１９】
第６の発明によれば、本体部は、揺動前の姿勢に復帰する際にはゆっくりと動作する一方、球圧を受けて初期状態から揺動する際には早く動作する。このように、減衰力発生機構が発生する減衰力は一方向性であるため、本体部が初期状態から揺動する際に、減衰力発生機構が悪影響を及ぼすことはない。
【図面の簡単な説明】
【００２０】
【図１】本発明の実施の形態に係る遊技機の遊技盤の正面図である。
【図２】入賞装置近傍の拡大斜視図である。
【図３】入賞装置近傍の拡大正面図である。
【図４】入賞装置及びベース部材の分解斜視図である。
【図５】入賞装置及びベース部材の断面図である。
【図６】入賞装置の背面図である。
【図７】入賞装置の背面側の斜視図である。
【図８】入賞装置の背面側の斜視図である。
【図９】入賞装置の背面図であり、（ａ）は本体部が初期状態、（ｂ）は本体部が揺動状態である。
【図１０】中央部の入賞装置の本体部が球圧を受けて揺動した状態の拡大正面図である。
【図１１】中央部の入賞装置の本体部が球圧を受けて揺動した状態の拡大斜視図である。
【図１２】（ａ）本体部が球圧を受けていない状態の拡大正面図である。（ｂ）本体部が球圧を受けて揺動した状態の拡大正面図である。
【発明を実施するための形態】
【００２１】
以下、図面を参照して、本発明の実施の形態について説明する。なお、以下の実施の形態の説明において記す前後左右とは、遊技者から見た、つまり遊技盤に向かって見た方向を指すものとする。
【００２２】
まず、図１を参照して、本発明の実施の形態に係る遊技機（パチンコ機）について説明する。
【００２３】
遊技機の遊技盤１は、合板やプラスチック等からなる矩形状の遊技盤本体２の表面に、区画部材としてのガイドレール１０を設けることで略円形状の遊技領域１１を区画形成している。
【００２４】
遊技機は、遊技者の操作に基づいて発射装置（図示省略）から遊技球を発射させ、遊技領域１１内に流下させることにより遊技を行うものである。遊技者は、遊技盤１を覆うカバーガラス（図示省略）を通じて遊技領域１１を視認することができる。
【００２５】
遊技領域１１には、開口部２１ａを有するセンターケース２１が配設される。遊技盤１にはセンターケース２１の外周に沿った形状の開口が形成され、センターケース２１は、その開口に遊技盤１の前方から嵌装される。
【００２６】
遊技盤１の裏面側には、複数の識別情報を変動表示する変動表示ゲームを表示可能な表示部２２ａを有する変動表示装置２２が配設される。変動表示装置２２は、表示部２２ａがセンターケース２１の開口部２１ａに臨んで配設される。
【００２７】
変動表示装置２２は、表示部２２ａに複数の変動表示領域（例えば、左側、中央、右側の３つの可変表示領域等）を設定して各表示領域の各々で独立して画像表示がなされる表示装置である。本実施の形態では、例えば、任意の画像を表示可能な液晶表示器等で表示画面部分が構成され、その表示画面上の各変動表示領域には複数の識別情報（特別図柄）や変動表示ゲームを演出するキャラクタ等、遊技の進行に基づく画像が表示される。
【００２８】
遊技領域１１におけるセンターケース２１の下方でかつ遊技領域１１の略中央には、遊技球の入賞に基づき特別図柄（特図）変動表示ゲームの始動条件を付与可能な始動入賞口２４が配設される。始動入賞口２４は、遊技球が入賞した場合に第１特図変動表示ゲームが行われる第１始動入賞口２４ａと、普通変動入賞装置（普通電動役物）２３を有するチューリップタイプであり、遊技球が入賞した場合に第２特図変動表示ゲームが行われる第２始動入賞口２４ｂとを備える。
【００２９】
第２始動入賞口２４ｂの下方には、変動表示装置２２の作動結果によって遊技球を受け入れない状態と受け入れ易い状態とに変換可能な特別変動入賞装置（大入賞口）２５が配設される。
【００３０】
遊技領域１１におけるセンターケース２１の左側方には、遊技球が通過した場合に普通図柄（普図）変動表示ゲームが行われる普図始動ゲート２６が配設される。
【００３１】
遊技領域１１における始動入賞口２４の左右両側方には、遊技球が入賞した場合に賞球を払い出す条件だけが成立する一般入賞口２７が配設される。一般入賞口２７は、始動入賞口２４の左側方に３つ、右側方に１つ配設される。
【００３２】
遊技領域１１には、この他に、遊技球の落下方向を変える風車（図示省略）や釘４６等の方向変換部材、入賞せずに流下した遊技球を回収するアウト口３０が配設される。
【００３３】
遊技盤１の右下部には、特図変動表示ゲームの特図の変動表示、特図入賞記憶数（始動記憶数）、普図変動表示ゲームの普図の変動表示、普図入賞記憶数、及び大当たりの決定ラウンド数を表示する状態表示器３２が配設される。
【００３４】
発射装置によって打ち出された遊技球は、ガイドレール１０の左側部に沿って区画され遊技球を案内する発射球案内通路３１から遊技領域１１に発射され、遊技領域１１内の各所に配置された方向変換部材によって落下方向を変えながら遊技領域１１を流下し、始動入賞口２４、一般入賞口２７、又は特別変動入賞装置２５に入賞するか、遊技領域１１の最下部に設けられたアウト口３０から排出される。遊技領域１１と発射球案内通路３１は、ガイドレール１０に沿ってガイドレール１０の内周面と所定間隔を空けて遊技盤１に配設されたインナーレール３３によって区画される。
【００３５】
始動入賞口２４、一般入賞口２７、特別変動入賞装置２５に遊技球が入賞すると、入賞した入賞口の種類に応じた数の賞球が払出装置（図示省略）から排出される。
【００３６】
具体的には、始動入賞口２４に遊技球が入賞すると、変動表示装置２２では、前述した数字等で構成される識別情報が順に変動表示する特図変動表示ゲームが開始され、特図変動表示ゲームに関する画像が表示される。
【００３７】
始動入賞口２４への遊技球の入賞が所定のタイミングでなされたときには大当たり状態となり、三つの表示図柄が揃った状態（大当たり図柄）で停止する。このとき、特別変動入賞装置２５は、大入賞口ソレノイド（図示省略）への通電によって、大入賞口が所定の時間だけ、遊技球を受け入れない閉状態（遊技者に不利な状態）から遊技球を受け入れやすい開状態（遊技者に有利な状態）に変換される。すなわち、大入賞口が所定の時間だけ大きく開くので、この間遊技者には、多くの遊技球を獲得することができるという遊技価値が付与される。
【００３８】
また、普図始動ゲート２６を遊技球が通過すると、状態表示器３２で普図変動表示ゲームが開始される。普図始動ゲート２６への遊技球の通過が所定のタイミングでなされたときには普通図柄に関する当たり状態となり、状態表示器３２に表示される普通図柄が当たり状態で停止する。このとき、第２始動入賞口２４ｂに設けられた普通変動入賞装置２３は、普通電動役物ソレノイド（図示省略）への通電によって、第２始動入賞口２４ｂへの入口が所定の時間だけ拡開するように変換され、第２始動入賞口２４ｂへの遊技球の入賞可能性が高められる。
【００３９】
次に、図２〜図９を参照して、遊技球が入賞する入賞装置１００について説明する。
【００４０】
ここで、本発明における入賞装置とは、遊技領域１１を流下する遊技球が入賞可能であり、遊技球の入賞に基づいて遊技者に遊技価値を付与可能なものである。本実施の形態では、第１始動入賞口２４ａ及び一般入賞口２７が該当する。
【００４１】
以下では、入賞装置１００として、始動入賞口２４の左側方に配設された一般入賞口２７を例にとって説明する。図２は遊技盤１における入賞装置１００近傍の拡大斜視図であり、図３は遊技盤１における入賞装置１００近傍の拡大正面図であり、図４は入賞装置１００及びベース部材４０の分解斜視図であり、図５は入賞装置１００及びベース部材４０の断面図であり、図６は入賞装置１００の背面図であり、図７及び図８は入賞装置１００の背面側の斜視図であり、図９は入賞装置１００の背面図であり、（ａ）は本体部５１が初期状態、（ｂ）は本体部５１が揺動状態である。
【００４２】
図２及び図３に示すように、遊技盤１における遊技領域１１の左下部には、インナーレール３３の内周に沿って、入賞装置１００を遊技盤１に配設するためのベース部材４０が配設される。
【００４３】
ベース部材４０は、遊技盤１に形成された開口部１ａ（図５参照）に遊技盤１の前方から嵌装されて固着される。つまり、ベース部材４０部材は遊技盤１の一部を構成することになる。
【００４４】
図４に示すように、ベース部材４０は、遊技盤１の前面に締結部４１ａを介して締結される前側ベース部材４１と、遊技盤１の開口部１ａに嵌挿されて前側ベース部材４１の裏面に締結される裏側ベース部材４２と、前側ベース部材４１と裏側ベース部材４２との間に配設されかつ遊技盤１の前面に締結部４３ａを介して締結される中間ベース部材４３とを備える。
【００４５】
このように、ベース部材４０は、裏側ベース部材４２が遊技盤１の開口部１ａに嵌挿された状態で、前側ベース部材４１及び中間ベース部材４３が遊技盤１の前面に締結されることによって遊技盤１に固着される。
【００４６】
前側ベース部材４１の前面には、インナーレール３３に沿って円弧状に配設され内周面４５ａが遊技領域１１を区画する区画部を構成すると共に、前面には装飾が施された区画部材４５が配設される。したがって、遊技領域１１を流下する遊技球のうち、遊技領域１１の左側部近傍を流下する遊技球は、区画部材４５の内周面４５ａに沿って流下することになる。
【００４７】
図５に示すように、裏側ベース部材４２は、裏面４２ａが遊技盤１の裏面１ｂと面一となるように、遊技盤１の開口部１ａに嵌挿される。
【００４８】
ベース部材４０が遊技盤１に固着された状態では、中間ベース部材４３に形成された開口部４３ｂ（図４参照）と裏側ベース部材４２に形成された通路部４２ｂ（図４参照）とによって、入賞装置１００に入賞した遊技球を遊技盤裏面側の入賞球処理領域へと導く入賞球誘導流路４４が構成される。入賞球処理領域には、遊技球の入賞を検出するためのセンサ（図示省略）が配設され、そのセンサによる遊技球の検出に基づいて遊技者には遊技球が払い出される。
【００４９】
図２及び図３に示すように、遊技盤１には、それぞれの入賞装置１００の上方に、遊技球が通過可能な間隔を空けて設けられた一対の障害釘４６が配設される。
【００５０】
図６〜図８に示すように、入賞装置１００は、遊技領域１１を流下する遊技球を受け入れる受入口５０と、受入口５０を通じて入賞した遊技球を遊技盤裏面側へと導く本体部５１とを備える。本体部５１は合成樹脂にて形成される。
【００５１】
受入口５０は、遊技領域を流下する遊技球を受け入れ可能なように遊技領域１１に向けて開口して形成される。
【００５２】
本体部５１は、受入口５０を通じて遊技球が流入する球流入空間５２ｅを有する内本体部５２と、内本体部５２を収容する外本体部５３とを備え、遊技盤１に揺動自在に配設される。
【００５３】
内本体部５２は、上部が開口して形成された断面略Ｕ字状の部材であり、長手方向の前端部は前端面５２ａにて閉塞されると共に、長手方向の後端部は開口して形成される。内本体部５２の底部には、球流入空間５２ｅに流入した遊技球を後方へと導くための傾斜リブ５５が形成される。傾斜リブ５５は、内本体部５２の底部から上方に突出し、かつ後方に向かって下り傾斜して形成される。受入口５０から内本体部５２内に流入した遊技球は、傾斜リブ５５の斜面５５ａに当たった後、斜面５５ａに沿って後方へと送られる。また、傾斜リブ５５は、前端面５２ａから中央部近傍までが急な傾斜面にて形成されるため、球流入空間５２ｅ内に流入した遊技球を確実に後方へと送ることができ、遊技球の詰まりが防止される。
【００５４】
外本体部５３は、上部が開口して形成された断面略８角形状の部材であり、長手（前後）方向の前端部には略円形の開口部５３ｂを有する環状の前端面５３ａが形成され、長手（前後）方向の後端部は開口して形成される。外本体部５３の内周には対向する一対のボス部５３ｃが長手方向に延在して形成される。内本体部５２の両側壁の外面には、ボス部５３ｃの外周面に対応した形状の凹部５２ｂが形成される。内本体部５２は、凹部５２ｂに外本体部５３のボス部５３ｃが嵌るように、外本体部５３の後端部の開口から外本体部５３内に挿入されて収容される。このように、ボス部５３ｃが凹部５２ｂに嵌ることによって、外本体部５３内における内本体部５２の位置決めが行われる。内本体部５２が外本体部５３内に収容された状態では、内本体部５２の前端面５２ａが外本体部５３の前端面５３ａの開口部５３ｂ内に収まった状態となる。外本体部５３の前端面５３ａの前面には、ボス部５３ｃを介してカバー部材５７（図２及び図３参照）が締結される。カバー部材５７によって、外本体部５３内での内本体部５２の前方への移動が規制され、外本体部５３からの内本体部５２の抜けが防止される。
【００５５】
内本体部５２が外本体部５３に収容された状態で、内本体部５２の上部開口と外本体部５３の上部開口とで受入口５０が構成される。
【００５６】
外本体部５３の外周最下面には、下方に突出しかつ外本体部５３の長手（前後）方向に沿って形成された軸支持部６０が外本体部５３と一体に配設される。軸支持部６０には、回転軸６１（図４，図７，及び図８参照）が軸支持部６０に対して相対回転不能に嵌入される。回転軸６１の一部は軸支持部６０から後方に向かって突出して突出部６１ａを構成している。
【００５７】
図５に示すように、回転軸６１の突出部６１ａは、前側ベース部材４１、中間ベース部材４３、及び裏側ベース部材４２を挿通する。突出部６１ａの先端部外周には支持リング６２が嵌装され、支持リング６２が裏側ベース部材４２の裏面４２ａに当接することによって、回転軸６１の抜けが防止される。
【００５８】
このように、外本体部５３は、回転軸６１にてベース部材４０に支持され、回転軸６１を中心として揺動自在である。つまり、本体部５１は、ベース部材４０に回転軸６１を中心として揺動自在に配設される。
【００５９】
回転軸６１はベース部材４０に対して垂直方向に延在するため、本体部５１は、内本体部５２及び外本体部５３の後端面５２ｄ，５３ｄ（図７及び図８参照）が前側ベース部材４１の前面に沿うようにして揺動する。本体部５１は、外周に遊技球が当接して球圧を受けた場合に、回転軸６１を中心として揺動する。
【００６０】
図６及び図８に示すように、回転軸６１の突出部６１ａには、合成樹脂にて形成される錘６３が回転軸６１に対して相対回転不能に連結される。このように、本体部５１と錘６３は、回転軸６１に相対回転不能に連結され、回転軸６１を介して同方向に揺動する。なお、図７では錘６３を取り除いた状態を示す。
【００６１】
錘６３は一端部が回転軸６１の突出部６１ａに連結され、自由端部に向かって太く形成される。したがって、錘６３の重心６３ａは、回転軸６１から離れた自由端部側となる。図６に示すように、錘６３の重心６３ａが重力によって回転軸６１の鉛直下方に位置する場合には、本体部５１は受入口５０が真上を向いた状態、つまり、一対の障害釘４６の間と連通したとなる。この状態は、本体部５１が揺動する前の姿勢であり、初期状態となる。
【００６２】
本体部５１は、外周に遊技球が当接して球圧を受けた場合には、初期状態から揺動して姿勢が変移し、錘６３も重力に反して揺動する（図９（ｂ）参照）。その後、球圧が解除された場合には、本体部５１は、錘６３の重力によって揺動前の姿勢である初期状態に復帰する。このように、入賞装置１００は、本体部５１に遊技球が当接して球圧が加わることによって、本体部５１を揺動させて姿勢を変移させる（つまり、本体部の揺動を許容する）と共に、本体部５１に加わる球圧が解除されることによって、本体部５１を揺動前の姿勢に復帰させる姿勢変移機構６５を備える。姿勢変移機構６５は、回転軸６１と錘６３とで構成されることになる。
【００６３】
本体部５１が初期状態である場合には、本体部５１の内本体部５２の球流入空間５２ｅは、中間ベース部材４３の開口部４３ｂ（図４参照）に連通する。つまり、内本体部５２の球流入空間５２ｅは入賞球誘導流路４４に連通する。したがって、本体部５１が初期状態である場合には、受入口５０を通じて本体部５１に流入した遊技球は、入賞球誘導流路４４へと導かれて遊技盤裏面側の入賞球処理領域へと誘導される。
【００６４】
また、本体部５１が初期状態である場合には、受入口５０は一対の障害釘４６（図２及び図３参照）の間に臨んだ状態となる。したがって、本体部５１が初期状態である場合には、一対の障害釘４６の間を通過した遊技球は、受入口５０を通じて本体部５１に流入して入賞装置１００に入賞することが可能となる。
【００６５】
図４，図７，及び図８に示すように、入賞装置１００は、本体部５１の揺動に伴い減衰力を発生して本体部５１の揺動動作に抵抗を付与する減衰力発生機構７０も備える。減衰力発生機構７０は、内部に収装されたロータ（図示省略）が回転することによって発生する粘性抵抗によって減衰力を発生するロータリーダンパである。減衰力発生機構７０は、前側ベース部材４１の裏面にベース板７６を介して締結される。
【００６６】
減衰力発生機構７０のロータには外部へと延在するロッド７１が結合され、ロッド７１は伝達機構７３を介して回転軸６１に連結される。伝達機構７３は、回転軸６１に相対回転不能に連結された第１ギア７４と、第１ギア７４に螺合すると共にロッド７１に相対回転不能に連結された第２ギア７５とからなる。したがって、本体部５１の揺動に伴う回転軸６１の回転は、第１ギア７４及び第２ギア７５を介してロッド７１に伝達される。そして、ロッド７１の回転に伴うロータの回転によって減衰力が発生する。なお、第１ギア７４、第２ギア７５、及び錘６３は、図５に示すように、裏側ベース部材４２内に収容される。
【００６７】
減衰力発生機構７０は、本体部５１が揺動前の初期状態から揺動する際（図９（ａ）中矢印「Ａ」にて示す方向の揺動）に発生する減衰力が、本体部５１が初期状態の姿勢に復帰する際（図９（ｂ）中矢印「Ｂ」にて示す方向の揺動）に発生する減衰力と比較して小さくなるように構成される。このように、減衰力発生機構７０は、本体部５１が揺動前の初期状態の姿勢に復帰する際に大きな減衰力を発生する一方向性のダンパである。したがって、本体部５１は、球圧を受けて初期状態から揺動する際には早く動作するのに対して、球圧が解除されて初期状態に戻る際にはゆっくりと揺動する。
【００６８】
次に、主に図９〜図１１を参照して、入賞装置１００の作用について説明する。なお、以下では、図１０及び図１１において示す３つの入賞装置１００を図中左から順にそれぞれ入賞装置１００Ａ、入賞装置１００Ｂ、入賞装置１００Ｃと称する。図１０は入賞装置１００Ｂの本体部５１が球圧を受けて揺動した状態の遊技盤１の拡大正面図であり、図１１は図１０と同じ状態の遊技盤１の拡大斜視図である。
【００６９】
通常の遊技が行われている状態では、図９（ａ）に示すように、錘６３の重心６３ａが重力によって回転軸６１の鉛直下方に位置し、本体部５１は受入口５０が真上を向いた初期状態となる。このとき、入賞装置１００は、図１０及び図１１に示す入賞装置１００Ａ及び１００Ｃに示すように、受入口５０が一対の障害釘４６の間に臨んだ状態（連通状態）であると共に、本体部５１の内本体部５２の球流入空間５２ｅが入賞球誘導流路４４に連通した状態となる。したがって、遊技領域１１を流下し、一対の障害釘４６の間を通過した遊技球は、受入口５０を通じて本体部５１に流入して入賞球誘導流路４４へと導かれ、遊技盤裏面側の入賞球処理領域へと誘導される。
【００７０】
磁石等を用いて区画部材４５の内周面４５ａに遊技球を積み重ねて入賞装置１００まで到達させて遊技球を入賞させる不正行為（いわゆる球掛りゴト）が行われた場合について説明する。図１０及び図１１に示すように、遊技球が積み重ねられ、本体部５１の外周に遊技球が当接して球圧が加わった場合には、本体部５１は軸支持部６０に嵌挿された回転軸６１を中心として揺動する。具体的には、入賞装置１００Ｂの本体部５１の外周左側部に遊技球が当接して球圧が加わることによって、本体部５１は回転軸６１を中心として図中時計回りに揺動する。このため、本体部５１を利用して本体部５１の周囲に球掛りを作ろうとしても、本体部５１が揺動して姿勢が変移することによって、球掛りが崩れてしまう。したがって、本体部５１の周囲での球掛りが発生し難くなり、不正行為を防止することが可能となる。
【００７１】
また、本体部５１に遊技球が当接して球圧が加わった状態では、本体部５１が揺動することによって、図１０及び図１１に示す入賞装置１００Ｂのように、本体部５１は受入口５０が真上を向いた姿勢から右斜め上方を向いた姿勢に変移する。これにより、初期状態では一対の障害釘４６の間に臨んでいた受入口５０は、本体部５１が揺動することによって、一対の障害釘４６の間との連通が解除される。したがって、遊技領域１１を流下し、一対の障害釘４６の間に入った遊技球は、本体部５１の外周部に当接して本体部５１に流入しないうえに、当該遊技球の球圧が本体部５１が初期状態に復帰する際の抵抗となる。
【００７２】
さらに、本体部５１に遊技球が当接して球圧が加わった状態では、図１０に示す入賞装置１００Ｂのように、本体部５１と入賞球誘導流路４４の入口である開口部４３ｂとの連通も解除される。したがって、仮に、図１１に示す入賞装置１００Ｂのように、本体部５１に遊技球が流入した場合でも、その遊技球が入賞球誘導流路４４に流入することはない。このように、本体部５１に遊技球が当接して球圧が加わった状態では、本体部５１への遊技球の流入及び入賞球誘導流路４４への遊技球の流入が制限され、入賞装置１００への遊技球の入賞が防止される。
【００７３】
なお、本体部５１が揺動した状態で本体部５１への遊技球の流入を防止するために、本体部５１が最大限揺動した状態では受入口５０が障害釘４６の鉛直下方に位置するように本体部５１の揺動角度を制限する機構を設けるようにしてもよい。
【００７４】
本体部５１が揺動した状態で、本体部５１に加わる球圧が解除された場合には、本体部５１は、錘６３の重力によって揺動前の姿勢である初期状態に復帰する。したがって、本体部５１への球圧が解除された後は、遊技球の入賞に問題はない。
【００７５】
ここで、不正行為によって積み重ねられた遊技球は、遊技盤１を叩くことによって崩すことができるため、球掛りゴトは発見しづらいという問題がある。しかし、入賞装置１００は減衰力発生機構７０を備えるため、積み重ねられた遊技球が崩され本体部５１への球圧が解除されたとしても、本体部５１は減衰力発生機構７０の作用によって初期状態にゆっくりと復帰する。したがって、不正行為が発見し易くなり、現行犯での逮捕も可能となる。このように、本体部５１は、減衰力発生機構７０の作用によって、初期状態にゆっくりと復帰する。しかし、減衰力発生機構７０が発生する減衰力は一方向性であるため、本体部５１は球圧を受けて初期状態から揺動する際には早く動作する。そのため、本体部５１が初期状態から揺動する際に、減衰力発生機構７０が悪影響を及ぼすことはない。
【００７６】
以上の実施の形態によれば、以下に示す効果を奏する。
【００７７】
本体部５１に遊技球が当接して球圧が加わった場合には、本体部５１は揺動して変移するため、本体部５１の周囲での球掛りが発生し難くなり、不正行為を防止することが可能となる。また、本体部５１に加わる球圧が解除された場合には、本体部５１は揺動前の姿勢に復帰するため、その後の遊技球の入賞に問題（支障）はない。
【００７８】
また、本体部５１に遊技球が当接して球圧が加わった状態では、一対の障害釘４６の間と受入口５０との連通が解除されると共に、本体部５１と入賞球誘導流路４４との連通も解除される。したがって、本体部５１への遊技球の流入及び入賞球誘導流路４４への遊技球の流入が制限され、入賞装置１００への遊技球の入賞が防止される。
【００７９】
また、入賞装置１００は減衰力発生機構７０を備えるため、積み重ねられた遊技球が崩され本体部５１への球圧が解除されたとしても、本体部５１は初期状態にゆっくりと復帰する。したがって、不正行為が発見し易くなり、現行犯での逮捕も可能となる。
【００８０】
以下に、図１２を参照して、上記本実施の形態の他の形態について説明する。図１２（ａ）は本体部５１が球圧を受けていない状態の遊技盤１の拡大正面図であり、図１２（ｂ）は本体部５１が球圧を受けて揺動した状態の遊技盤１の拡大正面図である。
【００８１】
図１２に示す入賞装置２００は、回転軸８０が本体部５１の中心に配設される。したがって、入賞装置２００では、本体部５１は、外周部に遊技球が当接して球圧を受けた場合には、回転軸８０を中心として回転して揺動する。
【００８２】
回転軸８０が本体部５１の中心に配設される場合、本体部５１の外周部に遊技球が当接しても本体部５１が回転し難い。そのため、本体部５１の外周には、遊技球が当接することによって本体部５１を回転させるための突起部８１が福数設けられる。
【００８３】
区画部材４５の内周面４５ａに遊技球が積み重ねられた場合には、遊技球が突起部８１に当接することによって、本体部５１は、図１２（ｂ）に示すように図中反時計回りに回転する。
【００８４】
入賞装置２００においても、上記実施の形態に係る入賞装置１００と同様に、本体部５１が回転することによって、本体部５１の周囲での球掛りが発生し難くなる。また、本体部５１に遊技球が当接して球圧が加わった状態では、本体部５１の姿勢が変移するため、一対の障害釘４６と受入口５０との連通が解除されるため、入賞装置２００への遊技球の入賞が防止される。
【００８５】
本発明は上記の実施の形態に限定されずに、その技術的な思想の範囲内において種々の変更がなしうることは明白である。
【産業上の利用可能性】
【００８６】
本発明の遊技機は、上記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【符号の説明】
【００８７】
１００，２００  入賞装置
１      遊技盤
１１    遊技領域
２１    センターケース
２４    始動入賞口
２７    一般入賞口
３３    インナーレール
４０    ベース部材
４４    入賞球誘導流路
４５    区画部材
４６    障害釘
５０    受入口
５１    本体部
５２ｅ  球流入空間
６０    軸支持部
６１    回転軸
６３    錘
６３ａ  重心
６５      姿勢変移機構
７０    減衰力発生機構
７３    伝達機構
【図１】
2010279476.tif 000003
【図２】
2010279476.tif 000004
【図３】
2010279476.tif 000005
【図４】
2010279476.tif 000006
【図５】
2010279476.tif 000007
【図６】
2010279476.tif 000008
【図７】
2010279476.tif 000009
【図８】
2010279476.tif 000010
【図９】
2010279476.tif 000011
【図１０】
2010279476.tif 000012
【図１１】
2010279476.tif 000013
【図１２】
2010279476.tif 000014